(57)【要約】【課題】  上位管理装置１から停止要求を出力せずに、複数の質問信号による干渉を防止し、上位管理装置１とカードリーダ２との間の通信量を減少させる。【解決手段】  夫々異なる通信規格の複数の非接触ＩＣカードと、それらのカードに対して質問信号を送信する複数の信号処理部２２〜２４並びに、それらの信号処理部２２〜２４に対して駆動命令ないし停止命令を出力する制御部２１を具備したカードリーダ２と、そのカードリーダ２に対して質問要求を出力する上位管理装置１とを備え、上位管理装置１は、カードリーダ２に何れかの通信規格に基づく質問信号を送信させる際に、その通信規格に対応した質問要求を送信し、カードリーダ２の制御部２１は、当該通信規格に対応した信号処理部２２〜２４に対して駆動命令を出力する一方、それ以外の信号処理部２２〜２４に対しては停止命令を出力する。【選択図】図１
2005339089.tif 000002
【特許請求の範囲】
【請求項１】
固有の識別子を格納してなり、それぞれ異なる通信規格からなる複数の応答器と、それらの応答器に対して、当該それぞれの通信規格に基づく質問信号を複数送信し、前記応答器が自己と適合する通信規格の質問信号を受けて返信した当該識別子を含む応答信号を受信する複数の信号処理部並びに、外部からの質問要求を受けて、それらの信号処理部に対して駆動命令ないし停止命令を出力する制御部を具備した質問器と、その質問器に対して前記何れかの通信規格に基づく質問信号を送信させる質問要求を出力する上位管理装置と、を備えた非接触ＩＤシステムであって、
当該上位管理装置は、前記質問器に何れかの通信規格に基づく質問信号を送信させる際に、その通信規格に対応した質問要求を送信し、前記質問器の制御部は、当該通信規格に対応した信号処理部に対して駆動命令を出力する一方、それ以外の通信規格に対応した信号処理部に対しては停止命令を出力することを特徴とする非接触ＩＤシステム。
【発明の詳細な説明】
【技術分野】
【０００１】
本発明は、固有の識別子を格納してなる応答器と、その応答器に格納された識別子を非接触にて読み取る質問器と、を備えた非接触ＩＤシステムに関するものであり、例えば、入退室管理等に用いられるものである。
【背景技術】
【０００２】
従来から、企業内のセキュリティ管理のために、社員に非接触ＩＣカードを携帯させ、当該企業の施設内への入場の際に、その施設のドア近傍に設けられたカードリーダに対して、前記ＩＣカードを翳させることによって、社員かどうかを判別し、当該ドアの開閉を制御する非接触ＩＤシステムが知られている。このようなシステムとしては、例えば図３の概略図に示すように、入退室管理を行う上位管理装置１と、質問器に相当するカードリーダ２と、応答器に相当する非接触ＩＣカード３と、施設の出入口に設けられる自動ドア４とを備えたものがある。
【０００３】
而して、当該システムの動作について説明すると、上位管理装置１は、カードリーダ２に対して所定間隔毎に質問要求を送信しており、当該カードリーダ２は、その質問要求を受信すると質問信号を送信する。このとき、その質問信号の出力圏内に非接触ＩＣカード３が存在していると、当該非接触ＩＣカード３は、質問信号から電磁誘導等により電力を発生させ、識別子（ＩＤ）を含む応答信号を送信する。そして、その応答信号は、カードリーダ２にて読み取られて、応答を検出した旨が上位管理装置１へと返信される。上位管理装置１では、その応答検出に含まれる当該非接触ＩＣカード３の識別子が、自己のデータベースに格納されているかを判別し、格納されている場合には、正当なユーザであると認証して、自動ドア４に対して開錠要求を出力するようになっている。
【０００４】
ここまでに説明したシステムは、単一の通信規格によるものであるが、最近では、いわゆるマルチアクセス方式のカードリーダが登場している。この方式は、一つのカードリーダ２で複数の通信規格（通信規約）を読み取ることを可能にした方式であって、一つの施設内に、複数の非接触ＩＤシステムが混在するようになってきたことに起因して、通信規格が複数存在する煩雑さを解消するために採用された方式である。上述の単一の通信規格によるものと相違する点は、上位管理装置１から質問要求が送信された際に、カードリーダ２から、それぞれ異なる通信規格に基づく質問信号が順次送信される点が異なる（例えば、特許文献１参照）。
【０００５】
このように、それぞれ異なる通信規格に基づく質問信号を送信しようとすると、図１（ｂ）に示すように、当該それぞれの通信規格に適合した複数の信号処理部２２〜２４を設けることが必要となる。そして、例えば、Ａ〜Ｃの複数の通信規格があり、これらの中からカードリーダ２に、通信規格Ａに基づく質問信号Ａを送信させようとする場合、上位管理装置１は、当該カードリーダ２に対して、質問信号Ａを送信させる命令である質問要求Ａを出力すると共に、通信規格Ｂ、Ｃについて質問信号を送信させない命令である停止要求Ｂ、Ｃを出力する。
【０００６】
これらの要求を受信したカードリーダ２の制御部２１は、通信規格Ａに対応する信号処理部２２には、駆動命令を出力すると共に、その他の通信規格Ｂ、Ｃにそれぞれ対応する信号処理部２３、２４には、停止命令を出力するようになっている。これにより、信号処理部２２は、他の信号処理部２３、２４による影響を受けることなく、上位管理装置１から指示のあった所望の質問信号Ａを送信することができるようになっている。
【特許文献１】特開２００１−１４３０２３
【発明の開示】
【発明が解決しようとする課題】
【０００７】
ところで、このシステムでは、上述のように、通信規格Ａに基づく質問信号Ａを送信させようとする場合、他の信号処理部２３、２４が駆動して、質問信号Ａに干渉する質問信号等を送信しないよう、上位管理装置１からは、質問要求Ａだけではなく、当該他の信号処理部２３、２４の駆動を停止させる停止要求Ｂ、Ｃも出力されるようになっているため、上位管理装置１とカードリーダ２との間の通信量が増大するという問題があった。また、上述の各要求は、上位管理装置１のユーザによって設定されることになるため、設定ミスにより、停止要求の出力設定がされなかった場合には、複数の質問信号が送信されることによって干渉が発生し、通信エラーを頻発させるという問題もあった。
【０００８】
本発明は、上記の各問題点に鑑みてなされたものであり、その目的とするところは、上位管理装置１から、停止要求を出力しなくても複数の質問信号が送信されることによる干渉を防止すると共に、上位管理装置１とカードリーダ２との間の通信量を減少させる非接触ＩＤシステムを提供することにある。
【課題を解決するための手段】
【０００９】
上記非接触ＩＤシステムを提供するために、本発明は、固有の識別子を格納してなり、それぞれ異なる通信規格からなる複数の応答器と、それらの応答器に対して、当該それぞれの通信規格に基づく質問信号を複数送信し、前記応答器が自己と適合する通信規格の質問信号を受けて返信した当該識別子を含む応答信号を受信する複数の信号処理部並びに、外部からの質問要求を受けて、それらの信号処理部に対して駆動命令ないし停止命令を出力する制御部を具備した質問器と、その質問器に対して前記何れかの通信規格に基づく質問信号を送信させる質問要求を出力する上位管理装置と、を備えた非接触ＩＤシステムであって、当該上位管理装置は、前記質問器に何れかの通信規格に基づく質問信号を送信させる際に、その通信規格に対応した質問要求を送信し、前記質問器の制御部は、当該通信規格に対応した信号処理部に対して駆動命令を出力する一方、それ以外の通信規格に対応した信号処理部に対しては停止命令を出力することを特徴としたものである。
【発明の効果】
【００１０】
そして、この手段を採用することにより、まず、上位管理装置１から停止要求を出力する必要がないので、上位管理装置１とカードリーダ２との間の通信量を減少させることができる。また、カードリーダ２により、所望の通信規格に対応しない信号処理部に対して停止命令の出力がなされるので、上位管理装置１のユーザによって停止要求の設定をせずとも、複数の質問信号が送信されることがなく、これにより干渉の発生を防止し、当該干渉に起因する通信エラーを防止することができるという効果を達成し得る。
【発明を実施するための最良の形態】
【００１１】
〔第１の実施の形態〕
次に、上述の解決手段を踏まえ、本発明を実施するにあたって好ましい実施の形態を説明する。まず本実施形態が従来技術と異なり特徴を有するのは、第１に、上位管理装置１は、質問器に相当するカードリーダ２に、何れかの通信規格に基づく質問信号を送信させる際、その通信規格に対応した質問要求のみを送信し、他の通信規格の質問信号を送信させない命令である停止要求は送信しない点、第２に、カードリーダ２の制御部２１は、受信した質問要求に従って、対応する信号処理部２２に対して駆動命令を出力する一方、それ以外の信号処理部２３、２４に対しては自律的に停止命令を出力する点にある。
【００１２】
そして、かかる特徴的な動作を実現するためには、一例として次のような構成が採用される。まず、図２に示すように、上位管理装置１は、カードリーダ２の制御や、同カードリーダ２にて読み取られた、応答器に相当する非接触ＩＣカード３の識別子を認証するための装置である。その構成は、同図に示すように、上位管理装置内の各部を統括する制御部１０と、カードリーダ２とシリアル通信等により信号の送受信を行う送受信部１１と、予め正当な非接触ＩＣカード３の識別子を格納する認証データベース１２とを備えており、制御部１０には、各部１１、１２がそれぞれ接続されている。
【００１３】
カードリーダ２は、非接触ＩＣカード３に質問信号を送信して、非接触ＩＣカード３の応答信号を受信し、その応答信号に含まれる当該カードの識別子と共に、カードを検出した旨の応答検出を上位管理装置１へと送信する質問器である。その構成は、同図に示すように、上位管理装置１とシリアル通信等により信号の送受信を行う送受信部２０と、上位管理装置の質問要求に対応した通信規格の信号処理部２２〜２４を制御する制御部２１と、当該各信号処理部２２〜２４から出力される信号の有無によって出力を切り替える信号切替部２５と、その信号を送信パワーまで増幅するＲＦ増幅部２６と、その増幅された信号を送信するためのアンテナ２７を備えている。
【００１４】
尚、アンテナ２７は、当該信号等の送受信ができるものであれば特に限定する趣旨ではないが、例えばループアンテナが用いられる。また、増幅部２６は、アンテナ２７で受信した非接触ＩＣカード３の応答信号を含む搬送波も増幅し、信号切替部２５を介して、各信号処理部２２〜２４へと送信する。信号処理部２２〜２４は、制御部２１からの駆動命令に基づいて、各々の通信規格による質問信号の作成や、自己の通信規格に適合する応答信号から識別子を取得する信号処理回路２２１〜２４１と、搬送波を当該質問信号にて変調して信号切替部２５への出力や、アンテナ２７で受信した搬送波から応答信号を復調して、信号処理回路２２１〜２４１へと出力する変復調回路２２２〜２４２とを備えている。また、信号処理部は、２２〜２４の３つを例示しているが、２つであっても良いし、４個以上であっても良いものである。
【００１５】
非接触ＩＣカード３は、カードリーダ２から送信された自己の通信規格と適合する質問信号を受けて、自己の識別子を含む応答信号を返信する応答器である。その構成は、同図に示すように、カードリーダ２から送信された質問信号（を含む搬送波）を受信するためのアンテナ３０と、そのアンテナで受信した搬送波から電磁誘導等により電力を発生させる電源生成部３１と、当該搬送波を復調する一方、搬送波を応答信号にて変調する変復調部３２と、質問信号を識別や、固有の識別子が格納された記憶部３４より、自己の識別子を参照して応答信号を作成する制御部３３とを備えている。尚、アンテナ３０は、アンテナ２７と同様にして、信号の送受信ができるものであれば良く、例えばループアンテナが用いられる。また、電源生成部３１は、カードリーダ２から送信される搬送波により発電できるものであれば良く、電磁誘導に限定する趣旨ではない。
【００１６】
自動ドア４は、上位管理装置１により、正当なユーザであるとの認証ができた場合に動作する負荷であり、その構成は、当該上位管理装置１とシリアル通信等により信号の送受信を行う送受信部４０と、上位管理装置１からの動作要求（開錠要求）に従って、負荷であるドアを駆動させる駆動部４２を制御する制御部４１とを備えている。尚、正当なユーザであると認証ができた場合に動作するものであれば良く、自動ドアに限定する趣旨ではない。
【００１７】
次に、以上の構成を踏まえて、図１（ａ）、２を参照して、本実施形態の動作について詳細に説明する。まず、上位管理装置１の制御部１０は、任意にないし所定時間毎に送受信部１１を介して、カードリーダ２に対し所望の通信規格に対応する質問要求を送信しており、カードリーダ２の送受信部２０は、その質問要求を制御部２１へと出力する。次に、上位管理装置１から質問要求を受けたカードリーダ２の制御部２１では、当該質問要求を受けると、その質問要求に対応する信号処理部２２０〜２４０に対して駆動命令を出力して、当該質問要求に対応した通信規格に基づく質問信号を出力させる。一方、それ以外の信号処理部２２０〜２４０に対しては停止命令を出力し、その要求を受信した信号処理部２２０〜２４０は駆動を停止するようになっている。
【００１８】
尚、図１（ａ）の例では、上位管理装置１から一つの質問要求Ａが出力されて、カードリーダ２の制御部２１は、信号処理部２２に対して駆動命令を出力して、当該質問要求Ａに対応した通信規格に基づく質問信号Ａを送信させる一方、それ以外の信号処理部２３、２４に対しては、停止命令を出力して、他の質問信号の送信がされないようになっている。ここで、質問信号出力までの動作を詳細について説明すると、まず制御部２１より各信号処理回路２２１〜２４１に対して駆動命令が送信され、その命令を受けた各信号処理回路２２１〜２４１は、それぞれ自己の通信フォーマットによる質問信号を作成し、変復調回路２２２〜２４２へと出力する。変復調回路２２２〜２４２では、受信した質問信号により搬送波を変調して信号切替部２５を介してＲＦ増幅部２６へと出力し、当該ＲＦ増幅部２６では、搬送波を送信パワーまで増幅して、アンテナ２７から送信するようになっている。
【００１９】
そして、当該質問信号を含む搬送波をアンテナ３０により受信した非接触ＩＣカード３は、電源生成部３１により当該搬送波から電力を発電して、変復調部３２、制御部３３、記憶部３４へと電力を供給する。一方、変復調部３２では、アンテナ３０にて受信した搬送波を復調して質問信号を抽出し制御部３３へと出力する。当該制御部３３では、カードリーダ２からの質問信号であることを認識すると、記憶部３４を参照して自己の識別子を取得し、その識別子を含む応答信号を作成する。また、その応答信号を変復調部３２へと出力して、当該変復調部３２では、その応答信号にて搬送波を変調してアンテナ３０を介して、当該応答信号を含む搬送波を送信する。
【００２０】
次に、その搬送波はカードリーダ２のアンテナ２７にて受信され、ＲＦ増幅部２６により所定パワーまで増幅され、フィルタリング処理がなされると、ある信号処理部２２〜２４の質問信号の出力により、信号切替部２５はその信号処理部２２〜２４と接続されているので、受信された搬送波は対応する信号処理部２２〜２４へと出力される。尚、図１（ａ）の例では、搬送波は、質問信号Ａに対応する信号処理部２２へと出力され、変復調回路２２２にて復調されて応答信号が抽出され、信号処理回路２２１へと出力される。
【００２１】
当該信号処理回路２２１では、応答信号からその非接触ＩＣカード３の識別子を抽出して制御部２１へと出力し、当該制御部２１では、その識別子を含む応答検出信号を作成して、送受信部２０を介して上位管理装置１へと送信する。上位管理装置１の制御部１０では、その応答検出信号を、送受信部１１を介して受信すると、その応答検出信号に含まれる非接触ＩＣカード３の識別子を抽出し、認証データベース１２を参照して、正当なユーザであるか認証を行う。そして、正当なユーザである場合には、送受信部１１を介して自動ドア４に動作要求（開錠要求）を出力し、その要求を送受信部４０を介して受信した自動ドア４の制御部４１は、駆動部４２に駆動制御信号を出力して、ドアの開閉をするようになっている。
【図面の簡単な説明】
【００２２】
【図１】非接触ＩＤシステムの動作を示す概略図であって、（ａ）は本発明によるもの、（ｂ）は従来技術によるものである。
【図２】本発明のシステム構成を示すブロック図である。
【図３】非接触ＩＤシステムのシステム構成を示す概略図である。
【符号の説明】
【００２３】
１  上位管理装置
２  カードリーダ（質問器）
３  非接触ＩＣカード（応答器）
４  自動ドア
【図１】
2005339089.tif 000003
【図２】
2005339089.tif 000004
【図３】
2005339089.tif 000005